(57)【要約】      （修正有）【課題】太陽電池を製造する際に必要とされる銀ペースト量を減少させた太陽電池を提供する。【解決手段】太陽電池１は、半導体基板、複数のフィンガー電極１２、及び複数のバス電極１４を含む。フィンガー電極は、半導体基板の表面上に配設される。バス電極は、半導体基板の表面上に別々に配設される。バス電極の少なくとも１つは、複数の枝電極１４２を含み、枝電極は、半導体基板の表面上に平行に配設される。各枝電極の外側は、少なくとも１つのフィンガー電極に接続される。この実施形態は、太陽電池を製造するための費用を軽減させることができる。【選択図】図１
0003188069.tif 000002
【実用新案登録請求の範囲】
【請求項１】
半導体基板と、
前記半導体基板の表面上に配設される複数のフィンガー電極と、
前記表面上に別々に配設される複数のバス電極と、
を備え、
前記複数のバス電極の少なくとも１つは、それぞれが前記表面上に互いに平行に配設され且つ各々の外側が前記複数のフィンガー電極の少なくとも１つに電気的に接続される複数の枝電極を有する
ことを特徴とする太陽電池。
【請求項２】
前記複数の枝電極は、同一形状を有することを特徴とする請求項１に記載の太陽電池。
【請求項３】
前記複数の枝電極のうちの隣接する２つは、０ｍｍより長く２ｍｍより短い第１距離だけ互いに離間していることを特徴とする請求項１に記載の太陽電池。
【請求項４】
前記複数の枝電極の少なくとも１つに電気的に接続される冗長電極を更に備えたことを特徴とする請求項１に記載の太陽電池。
【請求項５】
前記複数の枝電極から電気的に離隔される冗長電極を更に備えたことを特徴とする請求項１に記載の太陽電池。
【請求項６】
前記冗長電極は、前記複数の枝電極のうちの隣接する２つの間に配設されることを特徴とする請求項５に記載の太陽電池。
【請求項７】
前記複数の枝電極の少なくとも１つは、前記表面上で互いに独立し且つ第１方向に沿って次々に配設された複数の導電ブロックを有することを特徴とする請求項１に記載の太陽電池。
【請求項８】
前記複数のバス電極は互いに平行であり、前記第１方向は前記複数のバス電極の延在方向に平行であることを特徴とする請求項７に記載の太陽電池。
【請求項９】
半導体基板と、
前記半導体基板の表面に配設される複数のフィンガー電極と、
前記表面上に別々に配設される複数のバス電極と、
を備え、
前記複数のバス電極の少なくとも１つは、それぞれが前記表面上で互いに独立して第１方向に沿って配設され且つ各々が前記複数のフィンガー電極の少なくとも１つに電気的に接続される複数の導電ブロックを有する
ことを特徴とする太陽電池。
【請求項１０】
前記複数の導電ブロックは、前記表面上で前記第１方向に沿って次々に配設されることを特徴とする請求項９に記載の太陽電池。
【請求項１１】
前記複数の導電ブロックのうちの隣接する２つは、０ｍｍより長く１．５ｍｍより短い第１距離だけ互いに離間していることを特徴とする請求項１０に記載の太陽電池。
【請求項１２】
前記複数の導電ブロックの少なくとも１つに電気的に接続される冗長電極を更に備えたことを特徴とする請求項９に記載の太陽電池。
【請求項１３】
前記複数の導電ブロックから電気的に離隔される冗長電極を更に備えたことを特徴とする請求項９に記載の太陽電池。
【請求項１４】
前記複数の導電ブロックは、前記表面上で前記第１方向に沿った複数列に配設されることを特徴とする請求項９に記載の太陽電池。
【請求項１５】
前記複数列のうちの隣接する２列は、０ｍｍより長く２ｍｍより短い第２距離だけ互いに離間していることを特徴とする請求項１４に記載の太陽電池。
【請求項１６】
前記複数のバス電極は互いに平行であり、前記第１方向は前記複数のバス電極の延在方向に平行であることを特徴とする請求項９に記載の太陽電池。
【考案の詳細な説明】
【技術分野】
【０００１】
本出願は、２０１２年１２月２５日付で出願された台湾国特許出願第１０１２２５０２２号、及び２０１２年１２月２５日付で出願された台湾国特許出願第１０１２２５０２３号の優先権の利益を主張するものである。
【０００２】
本発明は、概して太陽電池、特に太陽電池のバス電極に関する。
【背景技術】
【０００３】
原油や石炭等、発電に使用できる既存の鉱物は、枯渇してきている。その上、火力発電所は、地球温暖化を悪化させている。そのため、人間が持続可能な代替エネルギーを開発し、普及することが、重要である。全ての有望な持続可能な代替エネルギー源の中で、太陽エネルギーは、比較的人気がある種類である。
【０００４】
一般的に、太陽電池は、半導体基板と、半導体基板上に形成されたｐ−ｎ接合を有する。ｐ−ｎ接合が照明されると、太陽電池は、電流を発生させることができる。太陽電池は、受光面にバス電極を有し、電圧と電流を出力するための裏面を有する。一般的に、太陽電池を製造する際、受光面上にバス電極を印刷するのに銀ペーストが使用される。銀ペーストの使用量は、全体的な製造コストに決定的に影響を与える。
【０００５】
従って、太陽電池の全体的な性能を維持可能なだけでなく、必要とされる銀ペースト量を減少可能な新たなバス電極は、かなり有益となろう。
【考案の概要】
【考案が解決しようとする課題】
【０００６】
本発明の目的の１つは、太陽電池を製造する際に必要とされる銀ペースト量を減少させることである。
【課題を解決するための手段】
【０００７】
本発明の実施形態では、太陽電池を提供する。太陽電池は、半導体基板、複数のフィンガー電極、及び複数のバス電極を含む。フィンガー電極は、半導体基板の表面上に配設される。バス電極は、表面上に別々に配設される。バス電極の少なくとも１つは、複数の枝電極を含み、該枝電極は、表面上に平行に配設される。各枝電極の外側は、少なくとも１つのフィンガー電極に電気的に接続される。
【０００８】
本発明の別の実施形態では、太陽電池を提供する。太陽電池は、半導体基板、複数のフィンガー電極、及び複数のバス電極を含む。フィンガー電極は、半導体基板の表面上に配設される。バス電極は、表面上に別々に配設される。バス電極の少なくとも１つは、互いに独立する複数の導電ブロックを含む。導電ブロックは、表面上で第１方向に沿って配設される。各導電ブロックは、少なくとも１つのフィンガー電極に電気的に接続される。
【０００９】
本発明の他の特徴は、添付図及び以下の詳細な説明から明らかになろう。
【００１０】
本発明については、次の詳細な記述及び添付図によって十分に説明される。同じ参照番号は、同様な要素を示す。
【図面の簡単な説明】
【００１１】
【図１】本発明の一実施形態による太陽電池の平面図を示す。
【図２】本発明の一実施形態による太陽電池の部分概略図を示す。
【図３】本発明の一実施形態による太陽電池の部分概略図を示す。
【図４】本発明の一実施形態による太陽電池の部分概略図を示す。
【図５】本発明の一実施形態による太陽電池の部分概略図を示す。
【図６】本発明の一実施形態による太陽電池の部分概略図を示す。
【図７】本発明の一実施形態による太陽電池の平面図を示す。
【図８】本発明の一実施形態による太陽電池の部分概略図を示す。
【図９】本発明の一実施形態による太陽電池の部分概略図を示す。
【図１０】本発明の一実施形態による太陽電池の部分概略図を示す。
【図１１】本発明の一実施形態による太陽電池の部分概略図を示す。
【図１２】本発明の一実施形態による太陽電池の部分概略図を示す。
【考案を実施するための形態】
【００１２】
本発明の一実施形態による太陽電池の平面図を示す図１を参照されたい。この実施形態の太陽電池１は、半導体基板１０、複数のフィンガー電極１２、及び複数のバス電極１４を有する。フィンガー電極１２およびバス電極１４は、スクリーン印刷又は別の適切な方法で、半導体基板１０の表面１０ａに配設される。
一般的に、表面１０ａは、太陽電池１の受光面として機能し、半導体基板１０は、表面１０ａの下にｐ−ｎ接合を有する必要がある。その結果、半導体基板１０の表面１０ａが、特に太陽によって、照明されると、太陽電池１は、電圧と電流を出力できる。
【００１３】
この実施形態のフィンガー電極１２は、表面１０ａ上で平行に配設されるが、他の実施形態のフィンガー電極は、図１に表されたものとは異なる形状及び配列を有することができる。
例えば、フィンガー電極は、線状とする必要がないが、その代わりに不等辺三角形状、菱形状、多角形状、又は曲線を伴う別の形状にすることもできる。また、フィンガー電極は、互いに平行である必要はなく、その替りに、互いに交絡してもよい。又は互いに平行でなくてもよい。
各フィンガー電極は、少なくとも１つのバス電極に電気的に接続される必要がある。また、バス電極１４の幅は、限定されず、各バス電極１４は、同じ又は異なる幅及び形状を有することができる。
【００１４】
別々に表面１０ａ上に配設されるバス電極１４の少なくとも１つは、少なくとも２つの枝電極１４２を有する。例えば、２つのバス電極１４は、枝電極１４２の有無に関係なく、互いに平行にできる。
つまり、枝電極１４２を有さないバス電極１４が、実質的な電極であり、通常、特定の方向（例えば、図１の縦方向）に沿って延伸する。他方、少なくとも２つの枝電極１４２を有するバス電極１４は、事実上、枝電極１４２の組合体である。また、各枝電極１４２は通常、特定の方向（例えば、図１の縦方向）に沿って延伸する。
【００１５】
図１では、２つの枝電極１４２のみが表されたが、別の実施形態の太陽電池では、３つ以上の枝電極を有することもできる。バス電極１４の枝電極１４２は、元々は互いに電気的に接続されていないが、導電ストライプがその上に半田付けされた後等、更なる加工後に、電気的に互いに接続されることができる。
【００１６】
図１及び図２を参照されたい。図２は、本発明の一実施形態による図１の太陽電池１の部分概略図を示している。図２が示すように、フィンガー電極１２は、枝電極１４２の外側１４２ａに電気的に接続される。また、枝電極１４２の内側１４２ｂ間には、所定の距離ｄが存在する。例えば、所定距離ｄは、０ｍｍ超２ｍｍ未満である。つまり、隣接する２枝電極１４２は、互いに電気的に離隔され、互いに２ｍｍ未満離間されることができる。
【００１７】
各枝電極１４２の幅は、限定されない。全ての枝電極１４２は、同じ幅又は異なる幅を有することができる。同じバス電極１４に属し、且つ互いから最も離れた２つの枝電極１４２の２つの外側１４２ａは、特定の距離を有することができる。例えば、特定の距離は、枝電極１４２を全く含まないバス電極１４の幅と同じにすることができる。
【００１８】
図１及び図２の枝電極１４２は、ストライプ状に形成されているが、他の実施形態の枝電極は、不等辺三角形状、菱形状、多角形状、又は曲線を有する他の形状に形成されることができる。太陽電池の中には、全ての枝電極が実質的に同じ形を有するものもある。
【００１９】
図３は、図２に示された実施形態に基づいて変更された実施形態を示している。図２と図３の実施形態は、図３の太陽電池１’が、隣接する２枝電極１４２間に冗長電極１６を更に含むという点で異なっている。
【００２０】
フィンガー電極１２は、２つの枝電極１４２の下を通ることができる。隣接する２つの枝電極１４２間に存在する、即ち隣接する２つの枝電極１４２の２つの内側１４２ｂを相互接続する、これらのフィンガー電極１２の部分は、冗長電極１６と称することができる。
つまり、枝電極１４２の外側１４２ａの外側の電極は、フィンガー電極１２と呼ばれる。一例として、冗長電極１６は、フィンガー電極１２の延伸方向に配設されることができる。
【００２１】
フィンガー電極１２、枝電極１４２、及び冗長電極１６は、全て半導体基板１０上に印刷することができる。従って、前の段落で使用した「下を通る」という表現は、実際そうではないかも知れないが、フィンガー電極１２と冗長電極１６との間の空間的関係の理解を助けるためにだけ、使用される。勿論、冗長電極１６は、２つの枝電極１４２を接続する必要はなく、枝電極１４２の内側１４２ｂから延伸する必要もない。
【００２２】
本発明の一実施形態による太陽電池の部分概略図を示す図４を参照されたい。この実施形態の太陽電池４は、半導体基板（図中、符号を付されない）、複数のフィンガー電極４２、複数の枝電極４４２、及び複数の冗長電極４６を有する。
図２の実施形態と同様に、フィンガー電極４２及び枝電極４４２は、半導体基板上に配設され、多数の枝電極４４２を組合せたものが、バス電極（図中、符号を付されない）と見なされる。更に、フィンガー電極４２は、枝電極４４２の外側４４２ａに電気的に接続される。図２の実施形態とは異なり、各冗長電極４６は、枝電極４４２に電気的に接続され、枝電極４４２を形成し、冗長電極４６は、自由な全体形状を有する。
【００２３】
機能に関して、冗長電極４６は通常、フィンガー電極４２を電気的に接続するためではなく、太陽電池４を更に加工し易くするために使用される。例えば、導電ストライプは、各バス電極上への半田付けが必要となることもある。
バス電極の枝電極の面積が小さい場合、導電ストライプは、その上に上手く取着できないことがある。そのため、導電ストライプを一層良好に堅固に半田付けするのに、実際のニーズを満たすために、半導体基板上に冗長電極４６が選択的に配設されてもよい。
【００２４】
図５を参照されたい。図５は、本発明の別の実施形態による太陽電池の部分概略図を示している。この実施形態の太陽電池５は、半導体基板（図中、符号を付されない）、複数のフィンガー電極５２、複数の枝電極５４２、及び少なくとも１つの冗長電極５６を有する。
図４の実施形態と同様に、フィンガー電極５２、枝電極５４２、及び冗長電極５６は、半導体基板上に配設され、複数の枝電極５４２を組合せたものが、バス電極（図中、符号付けされない）と見なされる。また、フィンガー電極５２は、枝電極５４２の外側５４２ａに電気的に接続される。図４の実施形態とは異なり、冗長電極５６は、何れの枝電極５４２にも電気的に接続されない。
【００２５】
前の実施形態と同様に、冗長電極５６は、通常、フィンガー電極５２に電気的に接続するためでなく、太陽電池５を更に加工し易くするために使用される。冗長電極５６を存在させることで、その上に導電ストライプを半田付けする等、太陽電池５を更に加工し易くできる限り、冗長電極５６の位置及び形状は、限定されない。例えば、冗長電極５６は、隣接する２枝電極５４２の内側５４２ｂ間に配設されることができる。
【００２６】
別の実施形態では、枝電極は、複数の導電ブロックを更に含むことができる。導電ブロックは、互いに独立しており、半導体基板の表面上に特定の方向に沿って次々に配設されることができる。
同実施形態による太陽電池の部分概略図を示す図６を参照されたい。この実施形態の太陽電池６は、半導体基板（図中、符号を付されない）、複数のフィンガー電極６２、及び複数の枝電極６４２を有する。図２の実施形態と同様に、フィンガー電極６２と枝電極６４２は、半導体基板上に配設され、多数の枝電極６４２を組合せたものが、バス電極（図中、符号を付されない）と見なされる。
【００２７】
図２の実施形態とは異なり、各枝電極６４２は、次々に整列する複数の導電ブロック６４２ａを含む。各枝電極６４２は、多数の導電ブロック６４２ａを組合せたものと見なされ、これらの導電ブロック６４２ａの整列方向は、枝電極６４２の延伸方向である。
導電ブロック６４２ａは、互いに電気的に接続されず、その上に導電ストライプを半田付けした後等の、更なる加工後にのみ、電気的に接続されることができる。多数の導電ブロック６４２ａは、一列に配設され、組合されて枝電極６４２を構成する限り、長方形状に形成されるとは限らない。
【００２８】
何れの上記実施形態の太陽電池でも、バス電極は、互いに分離した複数の枝電極に分割される。この配置は、太陽電池の全体的な性能にも、その後のバス電極に導電ストライプを半田付けする工程にも影響を与えない。
これらの実施形態の利点の１つは、必要な銀ペースト量を減少させられる点である。つまり、これらの実施形態では、太陽電池の全体的な製造コストを軽減できる。
【００２９】
本発明の一実施形態による太陽電池の平面図を示す図７を参照されたい。この実施形態の太陽電池７は、半導体基板７０、複数のフィンガー電極７２、及び複数のバス電極７４を有する。
フィンガー電極７２及びバス電極７４は、印刷又は別の適切な方法で半導体基板７０の表面７０ａ上に配設できる。一般に、面７０ａは、太陽電池７の受光面として機能し、半導体基板７０は、面７０ａ付近にｐ−ｎ接合を有することができる。半導体基板７０の面７０ａが照明されると、太陽電池７は、電圧と電流を出力できる。
【００３０】
フィンガー電極７２は、平行線であるとは限らない。その代わりに、各フィンガー電極は、不等辺三角形状、菱形状、多角形状、又は別の曲線を伴う形状にすることができる。また、フィンガー電極は、互いに平行する必要はなく；その代りに、互いに平行ではなく、互いに交絡してもよい。
しかしながら、各フィンガー電極は、少なくとも１つのバス電極７４に電気的に接続される必要がある。また、バス電極７４の幅は限定されておらず、バス電極７４は、同じか又は異なる幅及び形状を有することができる。
【００３１】
少なくとも１つのバス電極７４は、少なくとも２つの導電ブロック７４２を有する。導電ブロック７４２は、幅広なストライプ状に限定されず、その代りに、不等辺三角形状、菱形状、多角形状、又は曲線を伴う他の形状に形成されることができる。導電ブロック７４２は、形状に関して、互いに同様にすることができる。
図７で表わされた導電ブロック７４２は、全てのフィンガー電極７２が少なくとも１つの導電ブロック７４２に電気的に接続できるように、互いに密接に一列に並べられている。或いは、導電ブロック７４２は、幾つかのフィンガー電極７２が導電ブロック７４２の１つと電気的に接続するために、湾曲が必要となる程度に（又は他の回路設計によって）、配列されることもできる。
【００３２】
この実施形態では、２つのバス電極７４のどちらも、導電ブロック７４２を含むか否かに関わらず、互いに平行である。特に、導電ブロック７４２を含まないバス電極７４は、実質的な電極であり、通常、図７の縦方向等、特定の方向に沿って延伸する。
他方、少なくとも２つの導電ブロック７４２を有するバス電極７４は、事実上、これらの導電ブロック７４２の組合体である。これらの導電ブロック７４２もまた、通常、図７の縦方向等特定の方向に沿って配設される。
【００３３】
導電ブロック７４２を含むバス電極７４について、含まれる導電ブロック７４２の数は、限定されない。含まれる導電ブロック７４２は、元々配設される際には、電気的に互いに接続されず、更なる加工（その上に導電ストライプを半田付けする等）後に、互いに電気的に接続できる。
【００３４】
図７及び図８を参照されたい。図８は、本発明の一実施形態による図７の太陽電池７の部分概略図を示している。図８に表された隣接する２つの導電ブロック７４２間の距離は、図７に表された隣接する２つの導電ブロック７４２間の距離より長い。その結果、図８の幾つかのフィンガー電極７２は、対応する導電ブロック７４２と電気的に接続するために、適切に曲折される。
図８が示すように、フィンガー電極７２は、導電ブロック７４２に電気的に接続される。隣接する２つの導電ブロック７４２は、互いから所定距離ｄ１離間する。所定距離ｄ１は、０ｍｍ超１．５ｍｍ未満とすることができる。つまり、隣接する２つの導電ブロック７４２は、互いに電気的に離隔（分離）され、互いから１．５ｍｍ未満離間される。
【００３５】
図８の横方向に沿った導電ブロック７４２の幅は、限定されない。同じバス電極７４の導電ブロック７４２は、同じ幅を有することができる。全ての異なるバス電極７４の導電ブロック７４２も、同じ幅を有することができる。全く導電ブロック７４２を含まないバス電極７４と、幾つかの導電ブロック７４２を含むバス電極７４は、同じ幅を有することができる。
【００３６】
本発明の別の実施形態による太陽電池の部分概略図を示す図９を参照されたい。この実施形態の太陽電池９は、半導体基板（図中、符号を付されない）、複数のフィンガー電極９２、複数の導電ブロック９４２、及び複数の冗長電極９６を含む。
図８の実施形態と同様に、フィンガー電極９２及び導電ブロック９４２は、半導体基板上に配設される。多数の導電ブロック９４２を組合せたものが、バス電極（図中、符号を付されない）と見なされる。また、フィンガー電極９２は、導電ブロック９４２の両側に電気的に接続される。図８の実施形態とは異なり、導電ブロック９４２と冗長電極９６が全体として、自由な形状を有するように、冗長電極９６は、導電ブロック９４２に電気的に接続される。
【００３７】
機能に関しては、冗長電極９６は、通常、フィンガー電極９２を電気的に接続し、且つ太陽電池９を更に加工し易くするために、使用される。例えば、導電ストライプは、各バス電極上への半田付けが必要とされることがある。
バス電極の導電ブロックの面積が小さい場合、導電ストライプは、その上に上手く接着できないことがある。その結果、導電ストライプを一層良好且つ堅固に半田付けするために、冗長電極９６が、実際のニーズを満たすために、半導体基板上に選択的に配設されてもよい。
【００３８】
本発明の一実施形態による太陽電池の部分概略図を示す図１０を参照されたい。この実施形態の太陽電池１０は、半導体基板（図中、符号を付されない）、複数のフィンガー電極１０２、複数の導電ブロック１０４２、及び少なくとも１つの冗長電極１０６を含む。
図９の実施形態と同様に、フィンガー電極１０２、導電ブロック１０４２、及び冗長電極１０６は、半導体基板上に配設される。多数の導電ブロック１０４２を組合せたものが、バス電極（図中、符号を付されない）と見なされる。また、フィンガー電極１０２は、導電ブロック１０４２の両側に電気的に接続される。図９の実施形態とは異なり、この実施形態の冗長電極１０６は、導電ブロック１０４２の何れとも電気的に接続されない。
【００３９】
前の実施形態の冗長電極９６とは異なり、この実施形態の冗長電極１０６は、通常、フィンガー電極１０２に電気的に接続するためには使用されない。冗長電極１０６は、主に、太陽電池１０を更に加工し易くする。冗長電極１０６の位置及び形状は、限定されないことに注意されたい。例えば、冗長電極１０６は、隣接する２導電ブロック１０４２間に配設できる。
【００４０】
本発明の一実施形態による太陽電池の部分概略図を示す図１１を参照されたい。この実施形態の太陽電池１１は、半導体基板（図中、符号を付されない）、複数のフィンガー電極１１２、及び複数の導電ブロック１１４２を有する。
図８の実施形態と同様に、フィンガー電極１１２及び導電ブロック１１４２は、半導体基板上に配設される。多数の導電ブロック１１４２を組合せたものが、バス電極（図中、符号を付されない）と見なされる。
【００４１】
図８の実施形態とは異なり、導電ブロック１１４２は、少なくとも２本の線に配置される。導電ブロック１１４２を組合せた各線が、バス電極（図中、符号を付されない）と見なされる。枝電極の延伸方向は、導電ブロック１１４２の線の整列方向である。同じ線の導電ブロック１１４２は、互いに電気的には接続されず、異なる線の導電ブロック１１４２も互いに電気的に接続されない。太陽電池１１の上に導電ストライプを半田付けする等の、太陽電池１１を更に加工した後にのみ、２つの導電ブロック１１４２は、互いに電気的に接続される。導電ブロック１１４２の２本の隣接する線は、所定距離ｄ２離すことができる。例えば、所定距離ｄ２は、０ｍｍ超２ｍｍ未満とすることができる。
【００４２】
導電ブロック１１４２の対向する両側は、両側共フィンガー電極１１２に電気的に接続されない。導電ブロック１１４２の片側が、フィンガー電極１１２に電気的に接続されれば、十分である。
【００４３】
本発明の一実施形態による太陽電池の部分概略図を示す図１２を参照されたい。この実施形態の太陽電池１２は、半導体基板（図中、符号を付されない）、複数のフィンガー電極１２２、複数の導電ブロック１２４２、及び少なくとも１つの冗長電極１２６を含む。
図１１の実施形態と同様に、フィンガー電極１２２及び導電ブロック１２４２は、半導体基板上に配設される。多数の導電ブロック１２４２を組合せたものが、バス電極（図中、符号を付されない）と見なされる。
図１１の実施形態とは異なり、冗長電極１２６は、隣接する導電ブロック１２４２の２本の線の間に配設される。この配置により、その上に導電ストライプを更に半田付けする等、太陽電池１２を更に加工し易くなる。
【００４４】
図７乃至図１２に表された実施形態の各太陽電池では、少なくとも１つのバス電極は、互いに分離する複数の導電ブロックを含む。導電ブロックは、第１方向に沿って整列する。この配列は、太陽電池全体の性能に影響も与えないし、その後の導電ストライプを半田付けする工程にも影響を与えない。これらの実施形態の利点の１つは、必要な銀ペースト量を減少できる点である。つまり、これらの実施形態は、太陽電池の全体的な製造コストを軽減できる。
【００４５】
以上の詳細な記述では、本発明について、本発明の特定の例示的な実施形態を参照して説明している。本発明の精神及び範囲を逸脱することなく、様々な変更例が作製できることは明らかである。従って、詳細な記述及び図面は、限定的意味ではなく、むしろ例示的意味で捉えられる。
【符号の説明】
【００４６】
１、４、５、６、７、９、１０、１１、１２  太陽電池
１０ａ  表面
１２、４２、５２、６２、７２、９２、１０２、１１２、１２２  フィンガー電極
１４、７４  バス電極
１６、４６  電極
５６、９６、１０６、１２６  冗長電極
７０  半導体基板
１４２、４４２、５４２、６４２  枝電極
６４２ａ、７４２、９４２、１０４２、１１４２、１２４２  導電ブロック
【図１】
0003188069.tif 000003
【図２】
0003188069.tif 000004
【図３】
0003188069.tif 000005
【図４】
0003188069.tif 000006
【図５】
0003188069.tif 000007
【図６】
0003188069.tif 000008
【図７】
0003188069.tif 000009
【図８】
0003188069.tif 000010
【図９】
0003188069.tif 000011
【図１０】
0003188069.tif 000012
【図１１】
0003188069.tif 000013
【図１２】
0003188069.tif 000014